(57)【要約】【課題】洗浄ノズル内の流路の切り換えを確実に行い、節水と食器への洗浄水の噴射の偏りをなくす。【解決手段】洗浄水を噴射するとともに回転自在に支持された洗浄ノズル７に、噴射口１９、２０を有する複数の流路１５、１６と、前記流路への洗浄水の供給を切り換えるとともに洗浄ポンプ６の動作と連動して進退移動する弁体２１と、前記弁体を内蔵する回転軸１４とを設け、前記弁体２１は、前記洗浄ノズル７とともに回転しながら、前記流路に対して進退移動して回動することにより、前記流路への洗浄水の供給を切り換えるようにしたものである。【選択図】図１
2010194138.tif 000002
【特許請求の範囲】
【請求項１】
被洗浄物を収容する洗浄槽と、
被洗浄物に噴射される洗浄水を加圧する洗浄ポンプと、
前記洗浄ポンプで加圧された洗浄水を噴射するとともに回転自在に支持された洗浄ノズルと、
を備え、
前記洗浄ノズルは、噴射口を有する複数の流路と、前記流路への洗浄水の供給を切り換えるとともに前記洗浄ポンプの動作と連動して進退移動する弁体と、前記弁体を内蔵する回転軸と、を有し、
前記弁体は、前記洗浄ノズルとともに回転しながら、前記流路に対して進退移動して回動することにより、前記流路への洗浄水の供給を切り換えるようにした食器洗い機。
【請求項２】
前記弁体は、高水圧を受けた場合に前記流路の入口に向かって変位し、低水圧を受けた場合若しくは水圧を受けなかった場合に前記流路の入口から離れるように変位して、前記流路を切り換えるようにした、請求項１記載の食器洗い機。
【請求項３】
前記弁体は、上下面にそれぞれ上面係合部と下面係合部とを有し、前記上面係合部が前記流路を仕切る隔壁と係合し第１の角度回動して、前記流路の入口に向かって変位し、下面係合部が前記回転軸の内壁底部に設けられた回転軸側係合部と係合し第２の角度回動して、前記流路の入口から離れるように変位して前記流路を切り換えるようにした、請求項１または２記載の食器洗い機。
【請求項４】
前記弁体は、回転中心に中空円筒部を有し、前記流路の入口側に下方に向かって設けられた支持軸が前記中空円筒部に挿入されるようにした、請求項１〜３のいずれか１項に記載の食器洗い機。
【請求項５】
前記中空円筒部は、挿入された支持軸の先端との対向部に底壁を形成するとともに、前記底壁の周縁部に水抜き孔を設けた、請求項４記載の食器洗い機。
【請求項６】
前記弁体と前記回転軸内壁との間に隙間を設け、前記隙間は、排水フィルタの開口部の幅以上に設定した、請求項１〜５のいずれか１項に記載の食器洗い機。
【請求項７】
前記洗浄ノズルは、洗浄水が供給される前記流路により回転方向が異なるように構成した、請求項１〜６のいずれか１項に記載の食器洗い機。
【請求項８】
前記噴射口は、前記複数の流路においてそれぞれ回転中心からの距離が異なるように設けた、請求項１〜７のいずれか１項に記載の食器洗い機。
【請求項９】
前記洗浄ノズルは、前記流路により前記噴射口の開口面積が異なるようにした、請求項１〜８のいずれか１項に記載の食器洗い機。
【発明の詳細な説明】
【技術分野】
【０００１】
本発明は、洗浄水を用いて食器等を洗浄する食器洗い機に関するものである。
【背景技術】
【０００２】
従来、この種の食器洗い機は、図１０、図１１に示すような構成であった（例えば、特許文献１参照）。以下、その構成について説明する。図に示すように、洗浄槽内に洗浄水を噴射する回転自在な洗浄ノズル１０１は、回転軸１０２を中心として４部屋１０３ａ〜１０３ｄに区分している。この各部屋１０３ａ〜１０３ｄの先端部には、洗浄水の噴射力で洗浄ノズル１０１を回転させる推進孔１０４を設けている。ポンプによって供給される洗浄水の吐出部１０５と、洗浄ノズル１０１の回転軸１０２との間に設けた円筒状の受筒１０６内に浮子１０７を設けている。
【０００３】
浮子１０７は、ポンプから吐出される洗浄水によって受筒１０６内を回転しながら上昇し、対角となる２部屋１０３ｃ、１０３ｄに通じる開口部１０８ａを閉じ、開いている開口部１０８ｂから他の２部屋１０３ａ、１０３ｂに流入することによって、回転しながら洗浄水を噴射する。ポンプを停止すると、浮子１０７は受筒１０６内を下降する。再度、ポンプを駆動すると、浮子１０７は、ポンプから吐出される洗浄水によって受筒１０６内を回転しながら上昇し、閉じていた開口部１０８ａを開いて対角となる２部屋１０３ｃ、１０３ｄに洗浄水を流入させる。
【０００４】
したがって、洗浄ノズル１０１が反転し、逆方向へ回転する。すなわち、ポンプを間欠動作し、駆動と停止を繰り返すことによって浮子１０７は受筒１０６内を回転しながら上下動し、洗浄ノズル１０１の回転方向を正逆転換させることができるようにしたものである。
【特許文献１】実開昭４９−１１３４７１号公報
【発明の開示】
【発明が解決しようとする課題】
【０００５】
しかしながら、従来の食器洗い機では、ポンプを停止して洗浄水の流路を切り換える場合、浮子１０７は、図１０のように受筒１０６内を下降して洗浄ノズル１０１から離れるが、浮子１０７が洗浄ノズル１０１とともに回転しない受筒１０６に設けられているため、浮子１０７が洗浄ノズル１０１から離れている間も洗浄ノズル１０１は回転している。したがって、次に浮子１０７が洗浄ノズル１０１に向かって上昇し、係合する場合、前回塞いでいた流路を再度塞ぐ可能性がある。
【０００６】
つまり、浮子１０７が洗浄ノズル１０１と離れている間、浮子と洗浄ノズルは、互いに独立して回転しているので、浮子は流路を順番に塞ぐことができない。その結果、洗浄ノズルの回転方向の転換が不規則となり、洗浄水が当たる食器などに偏りや、洗いムラが生じるという問題があった。
【０００７】
本発明は、前記従来の課題を解決するもので、節水を行いつつ、洗浄ノズル内の流路の切り換えを確実に行うことで、食器への洗浄水噴射の偏りをなくして、食器をムラなく洗浄することができる食器洗い機を提供することを目的とする。
【課題を解決するための手段】
【０００８】
前記従来の課題を解決するために、本発明の食器洗い機は、被洗浄物を収容する洗浄槽と、被洗浄物に噴射される洗浄水を加圧する洗浄ポンプと、前記洗浄ポンプで加圧された
洗浄水を噴射するとともに回転自在に支持された洗浄ノズルとを備え、前記洗浄ノズルは、噴射口を有する複数の流路と、前記流路への洗浄水の供給を切り換えるとともに前記洗浄ポンプの動作と連動して進退移動する弁体と、前記弁体を内蔵する回転軸とを有し、前記弁体は、前記洗浄ノズルとともに回転しながら、前記流路に対して進退移動して回動することにより、前記流路への洗浄水の供給を切り換えるようにしたものである。
【０００９】
これによって、弁体は洗浄ノズルとともに回転することで、弁体による流路の切り換えを確実に行うことができ、節水を実現しつつ、食器を十分に洗浄することができるものである。
【発明の効果】
【００１０】
本発明の食器洗い機は、弁体による流路の切り換えを確実に行うことができ、節水を実現しつつ、食器の洗浄ムラをなくして洗浄効果を高めることができる。
【発明を実施するための最良の形態】
【００１１】
第１の発明は、被洗浄物を収容する洗浄槽と、被洗浄物に噴射される洗浄水を加圧する洗浄ポンプと、前記洗浄ポンプで加圧された洗浄水を噴射するとともに回転自在に支持された洗浄ノズルとを備え、前記洗浄ノズルは、噴射口を有する複数の流路と、前記流路への洗浄水の供給を切り換えるとともに前記洗浄ポンプの動作と連動して進退移動する弁体と、前記弁体を内蔵する回転軸とを有し、前記弁体は、前記洗浄ノズルとともに回転しながら、前記流路に対して進退移動して回動することにより、前記流路への洗浄水の供給を切り換えるようにしたことにより、弁体は洗浄ノズルと連動して回転することで、弁体による流路の切り換えを確実に行うことができ、節水を実現しつつ、食器を十分に洗浄することができる。したがって、複数の流路に設けられた多数の噴射口から洗浄水を被洗浄物に噴射することができるので、広範囲にかつ十分な水圧で、洗浄槽内の被洗浄物に、より均一に洗浄水を噴射することが可能となり、洗浄性能を向上することができる。洗浄ポンプの能力が同等であっても、一度にノズルに送らなければならない洗浄水の量を低減することができるので、節水を実現しつつ、十分に食器を洗浄することができる。
【００１２】
第２の発明は、特に、第１の発明の弁体は、高水圧を受けた場合に流路の入口に向かって変位し、低水圧を受けた場合若しくは水圧を受けなかった場合に前記流路の入口から離れるように変位して、前記流路を切り換えるようにしたことにより、流路の切換時に弁体が前記流路の入口から離れるので、異物が挟まれた場合でも弁体の離反時に容易に脱落し、円滑な切換動作を実現することができる。
【００１３】
第３の発明は、特に、第１または第２の発明の弁体は、上下面にそれぞれ上面係合部と下面係合部とを有し、前記上面係合部が前記流路を仕切る隔壁と係合し第１の角度回動して、前記流路の入口に向かって変位し、下面係合部が前記回転軸の内壁底部に設けられた回転軸側係合部と係合し第２の角度回動して、前記流路の入口から離れるように変位して前記流路を切り換えるようにしたことにより、弁体が流路の入口に向かって変位するときと、流路の入口から離れるように変位するときに、それぞれ所定角度回転するので、流路の入口に対する前進時および後退時のいずれかで、第１および第２の角度の合計を回動させる場合に比べて、より確実に回転させることができる。
【００１４】
第４の発明は、特に、第１〜第３のいずれか１つの発明の弁体は、回転中心に中空円筒部を有し、流路の入口側に下方に向かって設けられた支持軸が前記中空円筒部に挿入されるようにしたことにより、弁体が進退移動する際に、支持軸が案内部の役割を果たすので、弁体がより確実に流路を切り換えることができる。また、支持軸が、弁体の上方で洗浄水の下流側に設けられるので、洗浄水は、中空円筒部の外周部の外側に形成された弁体の開口部を通過して流れるため、支持軸により洗浄水の流れが妨げられ難く、洗浄水の流動
抵抗を少なくすることができる。
【００１５】
第５の発明は、特に、第４の発明の中空円筒部は、挿入された支持軸の先端との対向部に底壁を形成するとともに、前記底壁の周縁部に水抜き孔を設けたことにより、流入した洗浄水が底壁を押圧し、弁体を流路の入口側へ付勢することができる。また、中空円筒部内の洗浄水は水抜き孔から流出するので、流路の切換を確実におこなうことができる。また、ポンプで砕かれて洗浄水に混在している残さいが中空円筒部内に侵入するのを防止することができる。
【００１６】
第６の発明は、特に、第１〜第５のいずれか１つの発明の弁体と回転軸内壁との間に隙間を設け、前記隙間は、排水フィルタの開口部の幅以上に設定したことにより、被洗浄物３から洗われた残さい等が、排水フィルタ９を通過して弁体２１と回転軸１４の内壁との間に噛み込んで、弁体２１の動作に支障をきたすのを防止することができ、洗浄不良が生じることなく、弁体による流路の切り換えを確実に行うことができる。
【００１７】
第７の発明は、特に、第１〜第６のいずれか１つの発明の洗浄ノズルは、洗浄水が供給される流路により回転方向が異なるように構成したことにより、洗浄ノズルの回転方向を変えて、噴射口からの洗浄水の噴射角度を変えるので、洗浄水が複数の角度から被洗浄物へ噴射されることになり、被洗浄物の両面をより確実に洗浄できるなど、効率的に洗浄でき、洗浄性能が向上することができる。
【００１８】
第８の発明は、特に、第１〜第７のいずれか１つの発明の噴射口は、複数の流路においてそれぞれ回転中心からの距離が異なるように設けたことにより、洗浄ノズルが回転することで、噴射口は回転軸を中心に円の軌跡を通過するが、各流路において、回転軸からの距離を異なるように設け、弁体により流路を切り換えて、洗浄水を噴射することで、洗浄ノズルの外径内における噴射口の軌跡が増える。したがって、被洗浄物に対して、均一に洗浄水を噴射することができるので、洗浄性能の向上が図れる。
【００１９】
第９の発明は、特に、第１〜第８のいずれか１つの発明の洗浄ノズルは、流路により噴射口の開口面積が異なるようにしたことにより、噴射流量と洗浄圧の組み合わせを洗浄ノズルの場所によって変えることで、より効率的な洗浄が行える。
【００２０】
以下、本発明の実施の形態について、図面を参照しながら説明する。なお、本実施の形態によって本発明が限定されるものではない。
【００２１】
（実施の形態１）
図１は、本発明の実施の形態１の食器洗い機の一部切欠断面図、図２は、同洗浄ノズルの一部切欠平面図、図３は、同洗浄ノズルの要部断面図、図４、図５は、同要部斜視図、図６は、同弁体の斜視図、図７は、同弁体の上面図、図８は、同弁体の下面図、図９は、同弁体の断面図である。
【００２２】
図１〜図９において、食器洗い機本体１には、扉（図示せず）で開閉可能な開口部（図示せず）を有する洗浄槽２が設けられ、食器等の被洗浄物３は、食器かご４にセットされて洗浄槽２内に収容される。給水弁５は、制御手段（図示せず）により動作し、洗浄槽２に水を供給する。洗浄ポンプ６は、洗浄槽２内に溜められた洗浄水を加圧して洗浄ノズル７に供給し、洗浄ノズル７より洗浄槽２内に洗浄水を噴射することで被洗浄物３の洗浄を行なう。被洗浄物３に噴射される洗浄水は、被洗浄物を洗浄するための洗剤液と、被洗浄物をすすぐためのすすぎ水とを含む。
【００２３】
洗浄槽２内の底部には、洗浄ポンプ６の吸い込み側と連通した排水口８を有し、この排
水口８に、残さいを収集する排水フィルタ９と残さいフィルタ１０を備えている。残さいフィルタ１０は、排水フィルタ９より細かく着脱自在で、取り外して収集した残さいを廃棄することができるようになっている。また、洗浄槽２内に溜められた洗浄水と、洗浄槽２内の乾燥用空気を加熱する発熱体１１が洗浄槽２内の底部に設けられ、洗浄槽２の温度を検知する温度センサ１２が洗浄槽２の底面外壁に設けられている。
【００２４】
洗浄槽２の底部に設けられた洗浄ノズル７は、洗浄槽２に固着された回転軸受１３に回転軸１４を嵌合し、回転軸受１３に対して回転自在に支持されている。また、洗浄ノズル７は、内部に流路を備えた回転軸１４を有し、回転軸１４を中心にしてその両側に反対方向へ直線的かつ水平に延設され、回転軸１４部分から先端部分に向かって並行に延びる対称な複数の流路を形成している。
【００２５】
洗浄ノズル７には、回転軸１４の流路に形成された第１の洗浄流路入口１７および第２の洗浄流路入口１８とそれぞれ連通する、第１の洗浄流路１５および第２の洗浄流路１６が形成されている。第１の洗浄流路１５および第２の洗浄流路１６の上面側に、それぞれ第１の噴射口１９および第２の噴射口２０を有している。第１の洗浄流路入口１７および第２の洗浄流路入口１８はそれぞれ、中心角が略９０度の扇状の開口部を２つ対角に有している。
【００２６】
図４に示すように、回転軸１４は内壁底部に回転軸側係合部２８を有している。回転軸側係合部２８は螺旋状に形成され、１方向へ傾斜した複数の傾斜面２８ａと、傾斜面２８ａ同士をつなぐ複数の段部２８ｂを有している。
【００２７】
図３および図４に示す回転軸１４の軸開口部２４は、洗浄ポンプ６の吐出側と連通しており、洗浄ポンプ６がモータにより回転することにより、軸開口部２４を介し洗浄水が連続的に供給されるようになっている。
【００２８】
図６〜図９に示すように、回転軸１４内に設けられた弁体２１は、回転中心に中空円筒部３０を有し、開口部２２および閉口部２３のそれぞれを中空円筒部３０を中心にして対角に有している。また、洗浄ノズル７の洗浄流路入口側には、下方に向けて支持軸２９が形成されており、中空円筒部３０に挿入されている。弁体２１が上昇する際に、支持軸２９が弁体２１の上昇動作のガイド部となる。
【００２９】
図７〜図９に示すように、開口部２２および閉口部２３はそれぞれ、中空円筒部３０を略中心に、中心角が略９０度の扇形状部が２個対角に形成されている。閉口部２３の中空円筒部３０側の上面には山型の上面係合部２６が形成され、閉口部２３の外周側の下面には下面係合部２７が形成されている。
【００３０】
上記構成において、食器洗い機の基本動作について説明する。使用者が食器洗い機本体１の開口部から食器等の被洗浄物３を食器かご４にセットして、被洗浄物３を洗浄槽２に収納する。次に、使用者が所定量の洗剤を投入した後、扉を閉じることにより食器洗い機本体１の開口部を閉塞し、運転を開始する。被洗浄物３の汚れを落とす洗浄工程、被洗浄物３に付着した洗剤や残さいを流すすすぎ工程、そして、被洗浄物３に付着している水適を乾燥させる乾燥工程の順に実行する。
【００３１】
まず、制御手段が給水弁５を動作させて、所定量の洗浄水が洗浄槽２に給水され、続いて洗浄ポンプ６により洗浄水を加圧し、洗浄ノズル７から洗浄水を噴射する。この際、洗浄槽２内に設けたシーズヒータ等の発熱体１１は通電されており、洗浄水を加熱しながら洗浄工程は行われる。また、温度センサ１２は洗浄槽２の壁を介して洗浄槽２内の洗浄水の温度を検知しており、温度センサ１２が所定温度以上を検知すると、制御手段は発熱体
１１への通電を停止する。
【００３２】
洗浄水の循環は、洗浄ポンプ６が動作することにより行われる。具体的には、洗浄ポンプ６が動作することにより、洗浄水は排水フィルタ９と残さいフィルタ１０とを通過し、循環経路３３内に設けられた洗浄ポンプ６に吸い込まれる。続いて、洗浄ポンプ６が洗浄水を加圧して、洗浄槽２内の底部に設けた洗浄ノズル７に洗浄水を供給する。洗浄ポンプ６より供給された洗浄水は、回転軸１４の軸開口部２４から回転軸１４内に流入する。
【００３３】
弁体２１は、流入した洗浄水から弁体２１の自重より大きい水圧を、閉口部２３の下面で受けて上昇を始める。第１の洗浄流路入口１７と弁体２１の開口部２２が一致し、つまり、第２の洗浄流路入口１６は弁体２１の閉口部２３で閉塞される。第１の洗浄流路入口１７から流入した洗浄水は、第１の洗浄流路１５を通過して、複数設けられた第１の噴射口１９から洗浄水を被洗浄物３に噴射する。
【００３４】
このとき、洗浄水の噴射の反力により洗浄ノズル７は左回りに回転し、第２の洗浄流路１６に複数設けられた第２の噴射口２０から洗浄水が噴射された場合、洗浄ノズル７は右回りに回転する。つまり、弁体２１による流路の切り換えにより、洗浄ノズル７の回転方向が反転する。また、弁体２１は、第２の洗浄流路入口１６を閉塞して、洗浄ノズル７と同期して回転する。
【００３５】
第１の噴射口１９から所定時間洗浄水を噴射させると、制御手段は、洗浄ポンプ６を所定時間停止させる。その結果、弁体２１は、自重より大きい水圧を閉口部２２で受けなくなるので、第１の洗浄流路１７から離れて下降を始める。そして、弁体２１は、回転軸１４内の回転軸側係合部２８と係合して下降が止まる。このとき、弁体２１は、回転軸側係合部２８と係合しているとき、洗浄ノズル７と同期して回転する。
【００３６】
したがって、次に洗浄ポンプ６の駆動が開始され、弁体２１が上昇した場合、弁体２１は閉口部２３で確実に第１の洗浄流路入口１７を閉塞する。そして、第２の洗浄流路１６を通過した洗浄水は、第２の噴射口２０より、被洗浄物３に向けて噴出される。この弁体２１による第１および第２の洗浄流路入口１７、１８の切換動作を所定時間繰り返す。
【００３７】
このように、弁体２１は、第１の洗浄流路入口１７および第２の洗浄流路入口１８のいずれかを閉塞している場合、および、回転軸側係合部２８と係合している場合、洗浄ノズル７とともに、つまり、洗浄ノズル７と同期して回転するものである。それ以外、つまり、弁体２１が進退動作している間は洗浄ノズル７とは完全には同期していない。具体的には、弁体２１は、進退動作することにより約９０度回動するが、その進退動作の間も洗浄ノズル７が回転している分、慣性により回転する。
【００３８】
つまり、弁体２１は、進退動作する際、洗浄ノズル７の回転角度に加えて、洗浄流路入口を切り換える分（約９０度）回動する。また、弁体２１が進退動作している間、洗浄ノズル７と独立して回転することになるが、回転軸側係合部２８と洗浄流路入口１７、１８との距離を短くすることにより、弁体２１の進退動作にかかる時間が非常に短くし、洗浄ノズル７と弁体２１との回転のずれを抑制することが可能となる。したがって、弁体２１は、進退動作により約９０度だけ洗浄ノズル７に対し回動する。
【００３９】
また、洗浄水は、洗浄ノズル７の噴射口１９、２０から噴射され、被洗浄物３を洗浄した後、再び排水口８に戻るという経路で行われる。この際、被洗浄物３から脱落した残さい等は、洗浄水とともに残さいフィルタ１０に流入し、フィルタを通過できない、残さいフィルタ１０に複数設けられた孔より大きい残さいは、残さいフィルタ１０に捕集される。
【００４０】
所定時間洗浄工程を終えると、汚れを含む洗浄水は食器洗い機本体１外に排出され、新たに洗浄水が供給される。洗浄ポンプ６を運転し、洗浄ノズル７から再び洗浄水を噴射して、洗剤や残菜等の付着した被洗浄物３のすすぎを行う。所定時間運転した後、洗浄水を排出し、再び洗浄水を供給するという動作を繰り返し、このすすぎ工程は連続して３回程度行う。最後に、洗浄水を食器洗い機本体１外に排出して、すすぎ工程は終了する。続いて乾燥工程を行い、所定時間乾燥を行った後、運転を終了する。
【００４１】
本発明の構成によれば、洗浄ノズル７の洗浄流路入口と、弁体２１の相対的な位置関係が常に所定の位置に定まるので、流路の切り換えが確実に、安定して動作できる。また、多数の噴射口から洗浄水を被洗浄物３に噴射することができるので、広範囲に、高密度で、洗浄槽２内全体の被洗浄物３に均一に洗浄水を噴射することが可能となり、洗浄性能を向上することができる。洗浄ポンプ６の能力が同等であっても、洗浄性能の向上が図れる。
【００４２】
また、弁体２１は、上面側と下面側にそれぞれ凸状の係合部を有し、洗浄流路の入口側に、上面係合部２６との嵌合部と、回転軸１４側に、下面係合部２７との嵌合部を有し、洗浄ポンプ６の駆動時には上面係合部２６との嵌合部で回動し、洗浄ポンプ停止時には下面係合部２７との嵌合部で回動することで、弁体２１と、洗浄ノズル７の流路入口と、回転軸１４との相対的位置関係を常に一致させる。
【００４３】
次に、弁体２１の構成と切り換え動作、作用について詳細に説明する。図５〜図９に示すように、弁体２１は略平面形状をしており、第１および第２の洗浄流路入口１７、１８を構成するとともに、弁体２１と係合する面Ａも平面形状としている。洗浄ポンプ６を運転させた場合、弁体２１は、回転軸１４の軸開口部２４より流入した洗浄水の水圧を閉口部２３で受けて、上昇を始める。そして、図７に示す上面係合部２６の傾斜部分が、洗浄ノズル７内に流路を隔てるために設けられた十字状の隔壁３４に摺動して、弁体２１は回転しながら略鉛直上方向に上昇し、図５に示すように、弁体２１の閉口部２３が第２の洗浄流路入口１８に対向して閉塞し、開口部２２が第１の洗浄流路入口１７に対向して開成する。
【００４４】
所定時間洗浄ポンプ６が運転を続け、第１の洗浄流路入口１７が開口する位置で固定され、第１の洗浄流路入口１７と連通した第１の洗浄流路１５に洗浄水が供給される。図５に示すように、弁体２１を洗浄水が通過する位置に設けた開口部２２が、所定の洗浄流路入口と一致するように、上面係合部２６を設けている。
【００４５】
上面係合部２６は回転方向に傾斜した形状になっており、弁体２１は、上昇しながら上面係合部２６の傾斜により第１の所定角度（例えば、４５度）だけ回転させる。続いて、洗浄ポンプ６を一旦停止すると、弁体２１を下方から押し上げていた水圧が作用しなくなることから、弁体２１はその自重で降下する。この際、下面係合部２７は、図４に示す、回転軸１４に設けられた回転軸側係合部２８の傾斜面に沿って摺動し、弁体２１は、第２の所定角度（例えば、４５度）回転しながら降下する。弁体２１の下面係合部２７の下面と回転軸側係合部２８とが当接すると、弁体２１は停止する。
【００４６】
再び、洗浄ポンプ６を運転すると、上面係合部２６は、次の嵌合部と係合し、弁体２１は回転しながら上昇し、次の洗浄流路入口である第１の洗浄流路入口１７に洗浄水が供給される。このように、洗浄ポンプ６を断続的に運転することで、洗浄水が流れる洗浄流路入口１７、１８を順次切り換えることができる。
【００４７】
つまり、弁体２１は、進退動作、すなわち、上下の往復運動を１回することにより９０
度回動し、第１および第２の洗浄流路入口１７、１８を切り換える分、回転する。そして、弁体２１が４回上下の往復運動をすることにより、元の位置に戻る。したがって、モータ等のアクチュエータで、弁体２１を切り換える必要がないので、回転軸１４の流路内には、弁体２１以外には、洗浄水の流れを妨げるものがなく、更に、洗浄ノズル７と弁体２１がともに回転することが可能になる。
【００４８】
また、支持軸２９と中空円筒部３０を有することで、弁体２１の上下方向への移動、弁体２１と第１および第２の洗浄流路入口１７、１８との嵌合がスムーズになるとともに、支持軸２９が、弁体２１の上方、洗浄水の流れ方向からすると弁体２１の下流側に設けられることで、洗浄水は、弁体２１の開口部２２を通過して流れるため、支持軸２９により流れが妨げられることはない。したがって、洗浄水が流れる流路に設けられる切り換え構成による流動抵抗を少なくでき、確実に流路を切り換えることができるので、洗浄性能の向上が図れる。
【００４９】
また、弁体２１の中空円筒部３０は、洗浄流路入口側端面を含む側壁に、側壁開口部３１を設けてあり、弁体２１の中空円筒部３０と支持軸２９との嵌合隙間に入り込んだ異物を側壁開口部３１から流し出すことができるので、異物つまりによる弁体２１の進退動作不良を防ぐことができ、確実に流路を切り換えることができるので、洗浄性能の向上が図れる。
【００５０】
また、弁体２１の中空円筒部３０は、回転軸１４の軸開口部２４側、つまり、洗浄水の流れ方向からすると、弁体２１の上流側の流れに対して略垂直な端面は、底壁３０ａで閉じており、側壁に水抜き孔３２を設けている。したがって、回転軸１４の軸開口部２４より流入した洗浄水と洗浄水中の異物は、直接中空円筒部３０に入り込むことがないので、異物の侵入を防ぐことが可能である。
【００５１】
また、洗浄ポンプ６の停止時等に、中空円筒部３０の上方から侵入した洗浄水や異物は、水抜き孔３２を通って、中空円筒部３０内から流れ出すものである。したがって、実使用上に耐えうる構成となり、確実に流路を切り換えることができるので、洗浄性能の向上が図れる。
【００５２】
また、弁体２１と回転軸１４の内壁との間に隙間Ｄを設け、この隙間Ｄを排水フィルタ９の開口部の幅以上に設定することにより、被洗浄物３から洗われた残さい等が、排水フィルタ９を通過して弁体２１と回転軸１４の内壁との間に噛み込んで、弁体２１の動作に支障をきたすのを防止することができ、洗浄不良が生じることなく、弁体２１による流路の切り換えを確実に行うことができる。
【００５３】
また、回転軸１４の軸開口部２４の直径を、弁体２１の直径（閉口部２３の直径）以下にすることにより、弁体２１の下面係合部２７と嵌合する回転軸側係合部２８は、回転軸１４の軸開口部２４の直径より大きな径の位置に設けることができるので、洗浄水の流れを妨げることなく弁体２１を円滑に回動させることができるとともに、洗浄水の流動抵抗の少ない構成を実現することができる。
【００５４】
また、噴射口１９、２０を、各流路１５、１６においてそれぞれ回転軸１４からの距離が異なるように配設することにより、洗浄ノズル７が回転することで、噴射口１９、２０は回転軸１４を中心に円の軌跡を通過するが、各流路１５、１６において、回転軸１４からの距離を異なるように設けることで、洗浄ノズル７の外径内における噴射口１９、２０の軌跡が増える。したがって、被洗浄物３に対して、高密度でより均一に洗浄水を噴射することができるので、洗浄性能の向上が図れる。
【００５５】
また、洗浄ノズル７は、洗浄水が供給される各流路１５、１６により回転方向が異なるように構成することにより、洗浄ノズル７の回転方向を変えて、噴射口１９、２０からの洗浄水の噴射角度を変えるので、洗浄水が複数の角度から被洗浄物３へ噴射されることになり、被洗浄物３の表裏両面をより確実に洗浄できるなど、効率的に洗浄でき、洗浄性能が向上することができる。
【００５６】
すなわち、洗浄ノズル７は、噴射口１９、２０からの噴流の反力を利用して回転しているため、噴射口１９、２０の角度は、全体的に洗浄ノズル７の回転方向と反対方向に設けている。碗類や深さの深い皿類などに対しては、斜め方向に噴射しなければ洗浄水をその内側に入り込むことは困難であり、洗浄できない。また、洗浄ノズル７は、噴射の反力により回転させるように構成しており、直上より傾斜した噴射の回転力の合計が回転推進力となるため、回転に対して後退方向の噴射が多くなる。このため、一方向の回転だけでは、場所によって、傾斜した噴射の強弱が存在し、洗浄力のムラを生じる。
【００５７】
洗浄ノズル７を、正逆回転方向を切り換えることで強弱の関係が反対になるため、正回転では、浸入性の悪かった部位への浸入性が良化し、これらを繰り返すことで、洗浄力のムラを解消でき、洗浄槽２内にセットされた被洗浄物３の全体を均一に洗浄できる。
【００５８】
また、洗浄ノズル７は、各流路１５、１６により噴射口１９、２０の開口面積が異なるようにすることにより、噴射流量と洗浄圧の組み合わせを洗浄ノズル７の場所によって変えることで、より効率的な洗浄が行える。また、噴射口１９、２０の開口面積に加えて、噴射口１９、２０の角度、方向等が異なる構成とすることにより、より広範囲でかつ効率的な洗浄が行える。
【００５９】
また、洗剤と熱で汚れを落す洗浄工程時と、洗剤や汚れをすすぐ、すすぎ工程時において、弁体２１により各流路１５、１６を切り換える間隔が異なるようにすることにより、噴射時間の長い洗浄工程時に切り換える回数を減らすことで、切換時における時間のロスを少なくすることができ、効率よく洗浄することができる。
【００６０】
また、弁体２１を各流路１５、１６の入口１７、１８に対して進退自在とし、弁体２１が面Ａから離れるように構成しているため、洗浄水に混在する異物が噛み込むことなく、回転駆動させることができる。本実施の形態では、洗浄ポンプ６の動作の開始と停止に対応させて弁体２１を上下動させ、洗浄ノズル７の複数の流路１５、１６への洗浄水供給を切り換える構成としているが、洗浄ポンプ６の回転数を高回転と低回転に変化させて、弁体２１を上下動させてもよい。
【００６１】
また、弁体２１が面Ａから離れる距離は、排水フィルタ９と残さいフィルタ１０の隙間以上に設定することにより、排水フィルタ９と残さいフィルタ１０を通過して弁体２１に流入し得る異物の大きさ以上の隙間が、面Ａと弁体２１との間に形成することができるようになり、洗浄ポンプ６を停止した際に、その間に挟まった異物が脱落して除去されることから、常に信頼性の高い切り換え手段を提供できる。
【産業上の利用可能性】
【００６２】
以上のように、本発明にかかる食器洗い機は、弁体による流路の切り換えを確実に行うことができ、節水を実現しつつ、食器の洗浄ムラをなくして洗浄効果を高めることができるので、食器以外の洗浄機にも適用できる。
【図面の簡単な説明】
【００６３】
【図１】本発明の実施の形態１の食器洗い機の一部切欠断面図
【図２】同食器洗い機の洗浄ノズルの一部切欠上面図
【図３】同食器洗い機の洗浄ノズルの要部断面図
【図４】同食器洗い機の要部斜視図
【図５】同食器洗い機の要部斜視図
【図６】同食器洗い機の弁体近傍の断面図
【図７】同食器洗い機の弁体の上面図
【図８】同食器洗い機の弁体の下面図
【図９】同食器洗い機の弁体の断面図
【図１０】従来の食器洗い機の洗浄ノズル近傍の断面図
【図１１】同食器洗い機の洗浄ノズルの平面図
【符号の説明】
【００６４】
２  洗浄槽
６  洗浄ポンプ
７  洗浄ノズル
１４  回転軸
１５  第１の洗浄流路（流路）
１６  第２の洗浄流路（流路）
１７  第１の洗浄流路入口（流路の入口）
１８  第２の洗浄流路入口（流路の入口）
【図１】
2010194138.tif 000003
【図２】
2010194138.tif 000004
【図３】
2010194138.tif 000005
【図４】
2010194138.tif 000006
【図５】
2010194138.tif 000007
【図６】
2010194138.tif 000008
【図７】
2010194138.tif 000009
【図８】
2010194138.tif 000010
【図９】
2010194138.tif 000011
【図１０】
2010194138.tif 000012
【図１１】
2010194138.tif 000013